(57)【要約】前後で離れ下方で一体につながった座と背を持つ脚部材を左右にＸ形に開閉する構成とした折り畳み椅子の場合、座面が片持ち自由端を持つなどでシートの自在な着脱やクッション性などの利点があるが、畳んだときの背もたれの角度が脚部と大きく異なるために偏平に畳めなかったり、片持ち特有のクッション性においても座と背の一体としての効果的な連動には難点がある。そこで、脚部材の前部上方を片持ちの座面支持フレームとし、後部上方は背もたれ支持フレームを回動自在に支持する回動連結部とする。しかも前部上方の座面支持フレームの片持ち自由端と後部上方の回動連結部とは相互に離れた状態に構成する。さらに、座面支持フレームの片持ち自由端には回動連結部の軸線上に合わせた位置に釣支点を設けて釣部材を介して、あるいは同様の位置に設けた支持穴を通して、背もたれ支持フレームに支持することで一体的に連動させる構成とする。この椅子は、簡単に持ち運べて、畳んだり広げたりして使用する折り畳み椅子である。
2004086908.tif 000002
【特許請求の範囲】
【請求項１】
前部と後部が上方で離れ下方で一体につながった２本の脚部材（１、１）を前後の二ヶ所でしかも同一軸で左右にＸ形に開閉するように構成して、前部上方を片持ちの座面支持フレーム（４、４）とし、後部上方には回動連結部（６、６）を設けて背もたれ支持フレーム（５、５）を脚部材のＸ形の開閉方向にそれぞれ並行した軸で回動自在に取りつけて、しかも片持ちの座面支持フレームと回動連結部とは相互に離れた状態に構成して、脚部材を開くと背もたれ支持フレームが背面シート（１１）を左右に緊張させて背もたれを形成して座面シート（１０）は曲面を保持したまま座面を形成して、しかも閉じると背もたれ支持フレームが回動して脚部材と共に畳めることを特徴とする、折り畳み椅子。
【請求項２】
片持ちの座面支持フレーム（４、４）の自由端に釣支点（７、７）を設けて、釣部材（９、９）を介して背もたれ支持フレーム（５、５）に支持した、第１項記載の折り畳み椅子。
【請求項３】
回動連結部（６、６）の軸線上に合わせた位置に釣支点（７、７）を設けた、第２項記載の折り畳み椅子。
【請求項４】
片持ちの座面支持フレーム（４、４）の自由端を、回動連結部（６、６）の軸線上に合わせた位置に設けた支持穴（１４、１４）を通して背もたれ支持フレーム（５、５）に支持した、第１項記載の折り畳み椅子。
【発明の詳細な説明】
【技術分野】  この発明は、左右にＸ形に開閉する脚部材で支持する、折り畳み椅子に関するものである。
【背景技術】  前後が上方で離れ下方で一体につながった脚部材を左右にＸ形に開閉するように構成して、前部を片持ちの座面支持フレームとし後部を背もたれ支持フレームとした形態のものは在る。
これらは座面や背面が片持ちの自由端を持っているので、シートの自在な着脱やクッション性などの利点を持っている。しかし、閉じて畳むときに背もたれ支持フレームが脚部材のＸ形の開閉方向に対して角度が大きく異るために偏平に畳めなかったり、また座面と背面の片持ち特有のクッション性が相互に独立したままで一体としての効果的な連動には課題が残る。
この発明は、上記課題を解決するための折り畳み椅子を提供することを目的としている。
【発明の開示】
この発明は、上記課題に対して次のような手段を取っている。即ち、前部と後部が上方で離れ下方で一体につながった２本の脚部材を前後の二ヶ所でしかも同一軸で左右にＸ形に開閉するように構成する。そして前部上方を片持ちの座面支持フレームとし、後部上方には回動連結部を設けて背もたれ支持フレームを脚部材のＸ形の開閉方向にそれぞれ並行した軸で回動自在にかつ着脱自在に取りつける。同時に背もたれ支持フレームは脚部材を開いた状態で背もたれを形成するように上方に向けた形態にしている。そして、使用にあたって脚部材を左右に開くと、背もたれ支持フレームが背面シートを左右に緊張させて椅子の背もたれを形成すると共に座面シートは曲面を保持したままの状態で座面を形成する。しかも閉じると背もたれ支持フレームが回動して脚部材と共に畳まれる。また、片持ちの座面支持フレームと後部上方の回動連結部とは相互に離れた状態に構成する。このようにすることで片持ちの座面支持フレームは自由端を持ち、シートの着脱が自在となる。同時に片持ち特有のクッション性を確保することになる。
さらに、片持ちの座面支持フレームの自由端に釣支点を設けて、釣部材を介して背もたれ支持フレームに支持することで座面支持フレームの動きを背もたれ支持フレームに一体的に連動させて安定させることができる。
また、上記の釣支点を回動連結部の軸線上に合わせた位置に設けると、背もたれ支持フレームが回動していかなる方向に傾斜を向けても座面支持フレームと背もたれ支持フレームとの釣支点間の間隔は一定となり、変わらない。
さらに、片持ちの座面支持フレームの自由端において、回動連結部の軸線上に合せた位置に支持穴を設けて、この支持穴に背もたれ支持フレームを通すことで一体的に連動する構成とする。このようにすると、片持ちの座面支持フレームの自由端と後部上方の回動連結部との間の相互の離れは、座面シートの自在な着脱をもたらすと共に座ったときの適度のクッション効果をもたらすことになる。
【図面の簡単な説明】  図１及び図２は、この発明の第１実施例を示す斜視図である。図１は脚部材を開いた状態であり、フレームの構成がわかり易く座と背のシートを脱いでいる。図２は脚部材を開いて座る状態の斜視図である。図３は、脚部材を開いた状態の第２実施例を示す斜視図であり、座と背のシートを脱いでいる。図４は、低い背もたれを持った第３実施例を示す斜視図である。
【発明を実施するための最良の形態】  以下実施例の図面を参照しながらより詳細に説明する。
図１及び図２は、この発明の第１実施例を示す斜視図である。いずれも脚部材１、１をＸ形に開いた状態を示したものである。
図１は、同一平面内で曲げ形成した左右２本のパイプによる脚部材１、１がＸ形に開いている。脚部材１、１は前後の二ヶ所でしかも同一軸でＸ形に開閉するように軸ボルト２、２で連結棒３に取りつけている。このように前後を連結することで脚部がより安定する。下方で一体につながった脚部材１、１の前部上方は後方に向けてやや斜めに高くした曲線を持つ片持ちの座面支持フレーム４、４を形成している。同じく後部上方は、踏ん張りのために後方に向けたのち曲げ返して、背もたれ支持フレーム５、５を回動自在に支持する回動連結部６、６を形成している。背もたれ支持フレーム５、５は、下方部を差し込んで回動自在にかつ着脱自在に取りつけた回動連結部６、６の先端の位置から、背もたれを形成するように上方に向けた形態をしている。座面支持フレーム４、４の片持ち自由端に設けた釣支点７、７と背もたれ支持フレーム５、５のやや下方に設けた釣支点８、８とを釣部材９、９を介して着脱容易に支持している。なお釣支点７、７は、背もたれの傾斜角度を適度に設定した位置に任意に設けてもよいが、回動連結部６、６の軸線上に合わせた位置に設けると、背もたれ支持フレーム５、５が回動していかなる方向に傾斜を向けても釣支点７、７と釣支点８、８の間の間隔は一定となり、変わらない。一方、背もたれ支持フレーム５、５の左右間の間隔は、垂直方向の状態で最も狭くなり、前あるいは後方向に傾斜を向けるほど広がることが図示でわかる。即ち、人が座って寄りかかる圧力に応じて座面支持フレーム４、４と共に背もたれ支持フレーム５、５が左右に広がろうとする動きに抗して、背面シートが左右に緊張状態になって背もたれを形成する。背面の後方向に傾けば傾くほど左右に広がろうとする力が背面シートに強くかかる。
図２は、図１のフレームに座面シート１０と背面シート１１を着せて使用する状態を示している。座面シート１０の前端部は、脚部材前部のＸ形に開閉する軸ボルト２の位置までおおう形態を持った筒状にして、片持ち自由端からはめ込むように取りつけている。同様に背面シート１１は、座面シート１０に設けた穴１２、１２を通して取りつけた背もたれ支持フレームに、上方自由端からはめ込んでいる。また、前方に向けて丸く曲げた突出部を座面支持フレームの左右前端部に設けることで、座面シートの前辺が効果的なふちを形成している。座ると、座面シートは設定意図に応じて余裕ある曲面を保持したまま、背面シートが緊張して前後のクッション性を伴って安定する。釣部材は紐で着脱容易に釣支点に取りつけて、外面を肘のせとして効果的なカバー体１３、１３で覆っている。
図３は、この発明の第２実施例を示す斜視図である。フレームの構成をわかり易く座と背のシートを脱ぎ、脚部材１、１をＸ形に開いた状態で示している。前後を水平にしたパイプによる座面支持フレーム４、４の片持ち自由端には、回動連結部６、６の軸線上に合わせた位置に筒状のパイプ片を固着して支持穴１４、１４とし、さらに後方に突出片を設けて座面シート１０の後端部の支持安定をはかっている。クランク状に曲げた背もたれ支持フレーム５、５は、座面シートを自由端からはめ込んだのち、支持穴１４、１４を通して脚部の回動連結部６、６に挿入して回動及び上下の動きが自在になるように取りつける。背もたれ支持フレームの根元には、座面と背面が一体に連動して動くように、座面支持フレームに設けた支持穴の上面で押し止めるストッパー役のリング片を固着している。支持穴の穴は程よい余裕を持ったものにしている。なお、支持穴と回動連結部との間には、さらにコイルスプリングをつけ加えた状態も考えられる。座面支持フレームの片持ち自由端と回動連結部６、６の間の相互の離れが、座面シートの自在な着脱と座ったときの適度のクッション効果をもたらすことになる。人が座ったときの圧力は座面から背面へ、あるいは背面から座面へとスムーズに一体的に相互移行する。これらは、すでに述べた釣部材を介して座面支持フレームを背もたれ支持フレームに支持した第１実施例と同様の効果をもたらす。脚部材前部のＸ形に開閉する軸ボルトの位置までおおう形態を持つ座面シートの取りつけや脚部材下方のかたちは第１実施例と同様である。なお、座面シートと背面シートは連結させて一体にしたものも考えられる。その場合には支持穴の後方に設けた突出片は不要である。支持穴のかたちや作り方はさまざまに考えられる。
図４は、この発明の第３実施例を示す斜視図である。背もたれ支持フレーム５、５を低くして、腰の部分を支えるようにした小型のものである。座面シート１０と背面シート１１を着せた状態で、フレームの構成がわかり易くシートの一部を切除して示している。支持穴１４はパイプにプレス成形であけたもので、その他は図３の実施例と同様である。
以上、実施例について述べたが、この発明は上記に限らない。脚部材などのかたちや材質はもちろんさまざまに考えられる。一本のパイプ材を曲げ加工のみで形成したものを示したが、前部と後部をいったん別部材として下方で連結することも考えられる。釣部材は一定した長さにすることができるので、釣支点での連結の動きが自在であれば柔らかくても硬くてもよく、さまざまの素材を使用した形態のものが考えられる。
【産業上の利用可能性】  この折り畳み椅子を使用するときは、人が座面に座り寄りかかる圧力に応じて背面シートが左右に緊張状態となり、片持ちの座面シートとあいまってしなやかな前後への傾斜とクッション性を伴い、安定した背もたれを形成する。さらに、背もたれ支持フレームは、脚部材のＸ形の開閉方向に並行した軸で回動して畳めるように取りつけているので、開いた状態での左右及び上下方向への成形の自由度が高く、かたちの種類が豊富な背もたれとすることができる。同時に脚部材に対しての着脱が実に簡単なので、座と背のかたちのさまざまな組み合せが容易である。シートの取り替えや洗濯にも好都合である。さらに、座面支持フレームは特有のクッション性を伴う片持ち自由端を持ちながらも、釣部材を介してあるいは支持穴を通して背もたれ支持フレームに一体的に連結支持すると、比較的小さな部材のフレームでも座の支持荷重に対して対応できる。釣部材は、座面支持フレーム上の釣支点の位置を回動連結部の軸線上に合わせて設けると、背もたれ支持フレームが回動してどのような方向に傾斜を向けても座と背の釣支点間の間隔は一定となり変わらない。従って、座にかかる荷重は脚部下方にかかると共に連続的に安定して背もたれ支持フレームに伝わり、背面シートの左右方向の緊張に集約される。支持穴を通して支持した場合も同様である。即ち、座と背が相互に離れているにもかかわらず、座ったときの座と背はぎくしゃくすることなく一体的に連動したスムーズな力の移行を実現することができる。釣部材は、座ったときの肘のせの機能としても効果的である。それぞれの部位が効果的な作用を分担するので全体としてしなやかなクッション性を備えた特徴ある椅子を形成する。
以上のように、この発明は椅子を構成する基本システムであると同時に従来にない大小の新しいかたちの椅子を生みだす。折り畳めることを前提としているので、すぐさま広げて使用したり片づけて広いスペースを生みだしたりする、いわゆる床座を基本にした生活スタイルの家具としても有用である。整理保管や、持ち運び、運搬にも都合がよい。実にシンプルな構造でありながら高度の機能を有し、多様な形態、とりわけ座の部分のかたちを共通にしながら背もたれのかたちをさまざまに展開させることにも適している。
【図１】
2004086908.tif 000003
【図２】
2004086908.tif 000004
【図３】
2004086908.tif 000005
【図４】
2004086908.tif 000006
【国際調査報告】
2004086908.tif 000007
2004086908.tif 000008